(57)【要約】
【課題】  開閉操作が容易で、優れた防塵性を有した開口部の開閉機構を提供する。
【解決手段】  外部機器または記憶用媒体の端子類が接続される本体側の内部接続端子を備えた接続空間１５の開口部１５ａの、開閉をなすための開閉機構１１である。固定板１６と、固定板１６に対して進退可能に設けられたスライダー１７と、スライダー１７の前進方向側に回動可能に軸支された開閉プレート１８と、開閉プレート１８を一方の側に回動するよう付勢する付勢部材１９と、スライダー１７が後退しているとき、開閉プレート１８が付勢部材１９により回動するのを規制して開口部１５ａを閉じる状態に開閉プレート１８を保持し、スライダー１７が前進したとき、開閉プレート１８への規制を解除し、開口部１５ａが開くように開閉プレート１８を付勢部材１９によって回動させる規制手段と、を備えている。
【選択図】    図２
0003101064.tif 000002
【実用新案登録請求の範囲】
【請求項１】
外部機器または記憶用媒体の端子類が接続される本体側の内部接続端子を備えた接続空間の開口部の、開閉をなすための開閉機構であって、
前記接続空間またはその近傍に固定される固定板と、
前記固定板に対して進退可能に設けられたスライダーと、
前記スライダーの前進方向側に回動可能に軸支された開閉プレートと、
前記開閉プレートを一方の側に回動するよう付勢する付勢部材と、
前記スライダーが後退しているときに、前記開閉プレートが前記付勢部材の付勢力により回動するのを規制して前記開口部を閉じる状態に該開閉プレートを保持し、前記スライダーが前進したときに、前記開閉プレートへの規制を解除し、前記開口部が開くように該開閉プレートを前記付勢部材の付勢力によって回動させる規制手段と、
を備えたことを特徴とする開閉機構。
【請求項２】
前記開閉プレートには、前記開口部を実質的に開閉するための化粧カバーが設けられていることを特徴とする請求項１記載の開閉機構。
【請求項３】
前記固定板とスライダーとの間には、スライダーをその最適前進位置に係脱可能に保持させる前進係合部と、最適後退位置に係脱可能に保持させる後退係合部とが設けられていることを特徴とする請求項１又は２記載の開閉機構。
【請求項４】
前記規制手段は、前記開閉プレートのスライダー側に設けられた係止片と、前記固定板に設けられた前記係止片に係脱可能に構成された係止部とからなることを特徴とする請求項１〜３のいずれか一項に記載の開閉機構。
【考案の詳細な説明】
【技術分野】
【０００１】
本考案は、外部機器または記憶用媒体の端子類が接続される本体側の内部接続端子を備えた本体開口部の、開閉をなすための開閉機構に関する。
【背景技術】
【０００２】
近年、容易に携帯して使用することができる各種の電子機器が開発され、広く普及している。このような携帯製品としては、たとえば携帯電話機、ＰＨＳ（Personal Handy phone System）、ＰＤＡ（Personal Digital Assistance）などに代表される移動体通信機器の他、ポータブルナビゲーション、電子手帳、ノート型パーソナルコンピュータ、デジタルカメラ等が知られている。
このような携帯製品には、他の電子機器との間でケーブルを介してデータ通信を行ったり、あるいは、メモリスティックやメモリカードのような記憶媒体との間で直接データ通信を行ったりするため、本体側の適所に接続端子が設けられている。
【０００３】
図７は、携帯製品の一例として携帯電話機を示している。
この携帯電話機は、本体１の内部に電源や各種電子回路等を内蔵している。本体１の操作面には、液晶パネル等の表示部２と、各種の操作スイッチ（ボタン）３と、図示しないマイクロホン及びスピーカーが配設されている。また、図中の符号４は本体１から突出するアンテナ、５は充電端子／外部機器接続端子用の本体開口部を覆う接続端子開口用キャップ、６は記憶媒体接続端子用の本体開口部を覆う記憶媒体開口用キャップ、７はイヤホン接続端子用の開口部を覆うイヤホン開口用キャップである。
【０００４】
接続端子開口用キャップ５、記憶媒体開口用キャップ６及びイヤホン開口用キャップ７は、たとえば樹脂やゴム等を各開口部と略同様の形状に成形した部材である。これらのキャップ５，６，７は、各開口部に埃等の異物が侵入するのを防止する目的で取り付けられ、必要に応じて使用者が手で着脱できるするように嵌合されている。なお、各キャップ５，６，７は、開口部から取り外した状態でも紛失しないようにするため、一端が本体１に係止されるようになっている。
【０００５】
また、記憶媒体接続端子用開口部の防塵については、たとえば記憶媒体がメモリカードである場合、常態において外部の塵埃がメモリカード挿入口からカードアダプタ内に侵入するのを防止するため、メモリカード挿入口とカードアダプタとの間に、不織布にスリットを設けた防塵部材（抵抗部材）を配設することが提案されている。（たとえば、特開２００２−１５０２２５号公報（第３頁、図１及び図２）参照）
【考案の開示】
【考案が解決しようとする課題】
【０００６】
前述したように、携帯電話機等の携帯製品においては、各種の接続端子用として本体に形成された開口部から埃等の異物が侵入するのを防止するため、従来よりキャップや防塵部材を取り付けている。
しかしながら、ゴム等からなるキャップにより開口部を覆う構造では、嵌合状態に取り付けられる小さなキャップを手で着脱するため、係止部等が破損しやすいことに加えて操作性に問題があった。特に、係止部の破損はキャップ自体の紛失につながるため、対策が求められている。
【０００７】
一方、防塵部材を配設する構成では、メモリカードを使用しない状態では常にスリットが開口しており、前述したキャップと比較すれば操作性には優れるものの防塵効果が低くなることは否めない。特に、記憶媒体の接続端子においては、埃等の異物が介在することでデータ損失という最悪の事態に陥ることもありうるため、より一層の防塵性向上が望まれている。
本考案は上記事情に鑑みてなされたもので、その目的とするところは、開閉操作が容易であり、さらには優れた防塵性をも有した開口部の開閉機構を提供することにある。
【課題を解決するための手段】
【０００８】
前記目的を達成するため本考案の開閉機構は、外部機器または記憶用媒体の端子類が接続される本体側の内部接続端子を備えた接続空間の開口部の、開閉をなすための開閉機構であって、前記接続空間またはその近傍に固定される固定板と、前記固定板に対して進退可能に設けられたスライダーと、前記スライダーの前進方向側に回動可能に軸支された開閉プレートと、前記開閉プレートを一方の側に回動するよう付勢する付勢部材と、前記スライダーが後退しているときに、前記開閉プレートが前記付勢部材の付勢力により回動するのを規制して前記開口部を閉じる状態に該開閉プレートを保持し、前記スライダーが前進したときに、前記開閉プレートへの規制を解除し、前記開口部が開くように該開閉プレートを前記付勢部材の付勢力によって回動させる規制手段と、を備えたことを前記課題の解決手段とした。
【０００９】
この開閉機構によれば、スライダーが後退しているときに、開閉プレートが回動するのを規制して開口部を閉じる状態に該開閉プレートを保持し、スライダーが前進したときに、開閉プレートへの規制を解除し、前記開口部が開くように該開閉プレートを付勢部材によって回動させる規制手段を備えているので、単にスライダーを進退させるだけで開口部の開閉を操作することが可能になり、操作性が極めて良好になる。
【００１０】
また、前記開閉機構においては、前記開閉プレートに、前記開口部を実質的に開閉するための化粧カバーが設けられているのが好ましい。
このようにすれば、スライダーを後退させて開口部を閉じた際に化粧カバーが開口部を閉じることにより、この化粧カバーが防塵カバーとしても機能することから接続空間の防塵性が高まる。また、例えば化粧カバーの色を本体の色に合わせることなどにより、意匠性が高まる。
【００１１】
また、前記開閉機構においては、前記固定板とスライダーとの間に、スライダーをその最適前進位置に係脱可能に保持させる前進係合部と、最適後退位置に係脱可能に保持させる後退係合部とが設けられているのが好ましい。
このようにすれば、スライダーを進退させた際に、その最適前進位置あるいは最適後退位置でそれぞれ前進係合部あるいは後退係合部に係合することから、操作者はその係合を指等で感覚的に確認することができ、したがって最適前進位置あるいは最適後退位置に到達したことを容易に確認できることから、操作性がより良好になる。
【００１２】
また、前記開閉機構においては、前記規制手段が、前記開閉プレートのスライダー側に設けられた係止片と、前記固定板に設けられた前記係止片に係脱可能に構成された係止部とからなるのが好ましい。
このようにすれば、スライダーが後退しているときには、係止片が係止部に係合することによって開閉プレートの回動が規制されることから、開口部が閉じた状態に保持される。また、スライダーが前進したときには、係止片が係止部から脱着することでその係合が解除されることから、開閉プレートの規制が解除され、前記開口部が開くようになる。
【考案を実施するための最良の形態】
【００１３】
以下、本考案の開閉機構をその実施形態に基づいて詳しく説明する。
図１（ａ）〜（ｃ）は、本考案の開閉機構をポータブルナビゲーションの記憶用媒体用接続空間の開閉に適用した場合の一実施形態を示す図であって、図１中符号１０はポータブルナビゲーション、１１は前記接続空間の開口部の開閉をなす開閉機構である。ポータブルナビゲーション１０は、液晶等からなる表示部１２と、電源のオンオフや表示部１２の調整・切り換え等を操作するための操作部１３と、メモリーカード等の記憶用媒体１４の接続端子側を収容する接続空間１５とを備えて構成されたもので、図１（ｃ）に示すように接続空間１５の上側に本考案の開閉機構１１を備えたものである。なお、接続空間１５内には、その開口部１５ａと反対の側に、記憶用媒体１４の端子類が接続されるポータブルナビゲーション１０側の内部接続端子（図示せず）が設けられている。
【００１４】
前記開閉機構１１は、図２に示すように、接続空間１５を形成した媒体収容体（図示せず）の上側に固定される固定板１６と、この固定板１６に対して進退可能に設けられたスライダー１７と、このスライダー１７の前進方向側に回動可能に軸支された開閉プレート１８と、この開閉プレート１８を一方の側に回動するよう付勢する付勢部材１９とを備えて構成されたものである。
【００１５】
固定板１６は、図３に示すように、前記スライダー１７を進退可能に保持する固定板本体２０と、この固定板本体２０の両側に形成された矩形状の取付部２１とからなるもので、取付部２１の長辺方向に沿って前記スライダー１７を進退させるよう構成されたものである。固定板本体２０は、その上面をスライダー１７の保持面とするもので、この保持面の中心部には前記取付部２１の長辺方向、すなわちスライダー１７の進退方向に沿って第１切欠部２２が形成されており、この第１切欠部２２内には係合突片２３が設けられている。係合突片２３は、固定板本体２０の上面側に略直角に折り曲げられ、立ち上げられたもので、後述するスライダー１７の係合長片に係脱可能に係合するものである。すなわち、この係合突片２３には、スライダー１７をその最適前進位置に保持させるための前進係合凹部２３ａと、最適後退位置に保持させるための後退係合凹部２３ｂとが形成されており、これら係合凹部２３ａ、２３ｂが、スライダー１７の係合長片に形成された係合凸部と係合するようになっている。
【００１６】
また、第１切欠部２２の両側には、前記取付部２１の内側にそれぞれ第２切欠部２４が形成されており、これら第２切欠部２４内にはそれぞれ保持板２５が設けられている。保持板２５は、固定板本体２０の上面側に折り曲げられ、さらに僅かに立ち上がった状態から再度内側に折り曲げられたことにより、固定板本体２０の上面に対して僅かに隙間をあけて浮いた状態に形成配置されたものである。このような構成によって保持板２５は、後述するように前記上面との間の隙間に、スライダー１７を移動可能（進退可能）に挟持し保持するようになっている。また、これら保持板２５には、その下面側に突出して突条２５ａが形成されている。これら突条２５ａは、前述したスライダー１７の進退方向に沿って形成されたもので、後述するようにスライダー１７の切欠に嵌合するものである。
【００１７】
取付部２１は、固定板本体２０に対してその上面側に折り曲げられ、さらに僅かに立ち上がった状態から再度外側に折り曲げられたものである。これら取付部２１には、それぞれの外側に、斜め下方に折り曲げられた折曲片２１ａが形成されており、これら折曲片２１ａによって固定板１６は、前述したように媒体収容体（図示せず）の上側に固定されるようになっている。
【００１８】
スライダー１７は、図４に示すように、前記固定板本体２０の上面と保持板２５との間に挟持される一対の摺動部２６と、これら摺動部２６、２６間に一体に形成されたスライダー本体２７とからなるもので、前記摺動部２６の長辺方向をその進退方向としたものである。
摺動部２６は、スライダー本体２７に対してその下面側に折り曲げられ、さらに僅かに下がった状態から再度外側に折り曲げられたもので、その長辺方向、すなわちスライダー本体２７の進退方向に沿って細長い切欠２８が形成されている。この切欠２８は、前記固定板１６の保持板２５の突条２５ａに嵌合したもので、該突条２５ａの長さより十分に長く形成されたことにより、該突条２５ａをその長さ方向に移動可能に嵌合させたものである。ここで、切欠２８の長さは、予めスライダー１７の移動範囲に対応して形成されており、これによって切欠２８および突条２５ａは、スライダー１７の移動方向をガイドするとともに、その移動範囲を規制するものとなっている。
【００１９】
スライダー本体２７は、摺動部２６、２６間に設けられたことにより、固定板本体２０の上面より浮いた状態に形成配置されたものである。このスライダー本体２７の中心部には、前記第１切欠部２２と対応する位置に第３切欠部２９が形成されおり、第３切欠部２９内には係合長片３０が形成されている。係合長片３０は、第３切欠部２９の一端側、本例ではスライダー１７の前進方向側でのみスライダー本体２７に連続して形成された長細いもので、スライダー１７の後退方向側を弾性変形による自由端とし、この自由端に係合凸部３０ａを形成したものである。この係合凸部３０ａは、前述したように係合突片２３の前進係合凹部２３ａ、後退係合凹部２３ｂに対して、係脱可能に係合するようになっている。
【００２０】
また、このスライダー本体２７の前進方向側には軸受け３１が形成され、軸受け３１には軸３２が挿通され、この軸３２には開閉プレート１８が取り付けられている。
開閉プレート１８は、その一端側に軸受け３３ａ、３３ｂを形成したもので、これら軸受け３３ａ、３３ｂに前記軸３２を挿通したことにより、スライダー本体２７に対し回動可能に取り付けられたものである。この開閉プレート１８の回動側、つまり軸受け３３ａ、３３ｂと反対の側には、その両側部および先端部に、後述する化粧カバーの取付部が形成されている。すなわち回動側の両側部には、開閉プレート１８の側方に突出し、その位置から折れ曲がってなる第１取付部３４が形成されており、回動側の先端部には、開閉プレート１８の前方に突出し、その位置から折れ曲がってなる第２取付部３５が形成されている。また、これら取付部３４、３５とは別に、前記第１取付部３４、３４間には長孔３６が形成されており、この長孔３６も化粧カバーを取り付ける要素となっている。
【００２１】
そして、開閉プレート１８の先端側には、図２に示すように前記の第１取付部３４、第２取付部３５、長孔３６に係合して化粧カバー３７が取り付けられている。この化粧カバー３７は、本実施形態では図１（ａ）に示したように、ポータブルナビゲーション１０の筺体１０ａの一部を構成すべく、筐体１０ａと同じ材質で同じ色に形成されたものである。そして、この化粧カバー３７は、開閉プレート１８の先端側に取り付けられ、開閉プレート１８の開閉（回動）に伴われて開閉（回動）することにより、前記接続空間１５の開口部１５ａを実質的に開閉する部材となっている。
【００２２】
また、前記開閉プレート１８には、図５（ａ）に示すように、この開閉プレート１８を一方の側（開閉プレート１８が開く側）に回動するよう付勢する付勢部材１９が設けられている。この付勢部材１９は、本実施形態ではトーションバネによって形成されており、その巻き部分が前記軸３２の中央部に巻回され、一方のアーム部分が固定板本体２０とスライダー本体２７との間に配置され、他方のアーム部分が開閉プレート１８の一方の面を押圧する位置に配置されたことにより、開閉プレート１８をこれが開く方向に付勢したものとなっている。
【００２３】
そして、このような開閉機構１１を構成する各部材は、図２に示すように接続空間１５の上側に設けられた収容空間３８に、開閉プレート１８が接続空間１５の開口部１５ａ側に配置されるようにして収容され、固定板１６がその取付部２１によって収容空間３８内に取り付けられることにより、固定されている。このようにして開閉機構１１が収容空間３８内に設けられると、開閉プレート１８に取り付けられた化粧カバー３７は、接続空間１５および収容空間３８の開口側に形成された凹部、すなわち化粧カバー３７を嵌合させるための嵌合凹部４０に嵌合し、図１に示したように筐体１０ａの一部を構成するようになる。
【００２４】
ここで、化粧カバー３７の両側部には、図１（ｃ）に示すように係合突起３７ａが形成されており、筐体１０ａの前記嵌合凹部４０内には、前記係合突起３７ａと対応する位置に、該係合突起３７ａに係脱可能に係合する係合凹部４０ａが形成されている。
なお、前記の化粧カバー３７が嵌合凹部４０に嵌合している状態は、後述するようにスライダー１７が後退しており、開閉プレート１８が前記収容空間３８の天井側を形成する天井部３９に当接し、これによって付勢部材１９の付勢力による回動が規制されていることで、維持されている。したがって、本実施形態では、前記収容空間３８の天井側を形成する天井部３９が、本考案における規制手段として機能するものとなっている。
【００２５】
次に、このような構成からなる開閉機構１１の動作を説明する。
まず、ポータブルナビゲーション１０においてその通常時、すなわち記憶用媒体１４を使用しない状態では、開閉機構１１は開閉プレート１８を閉じ、これによって化粧カバー３７が、図１（ａ）に示したように接続空間１５の開口部１５ａを閉じた状態となっている。すなわち、この化粧カバー３７が閉じた状態では、開閉機構１１は図５（ｂ）に示すように、化粧カバー３７（図示せず）を取り付けた開閉プレート１８が収容空間３８の天井部３９（図示せず）に当接しこれに規制されることにより、閉じた状態、すなわち固定板１６とほぼ平行な状態となっている。
【００２６】
このように、化粧カバー３７によって接続空間１５の開口部１５ａが閉じられていることにより、接続空間１５は防塵されたものとなっており、さらに化粧カバー３７が筐体１０ａと同じ色で形成されていることなどにより、ポータブルナビゲーション１０はその意匠性も高められたものとなっている。
なお、この状態では、化粧カバー３７の係合突起３７ａが嵌合凹部４０内の係合凹部４０ａに係合していることにより、振動等によって化粧カバー３７が不測に外れてしまうのが防止されている。
【００２７】
この状態から記憶用媒体１４を使用するべく、接続空間１５の開口部１５ａを開くためには、図１（ｂ）に示すように化粧カバー３７を指等で手前側に引き出す。すると、図５（ｃ）に示すようにスライダー１７が固定板１６上を前進し、開閉プレート１８が収容空間３８の開口部（図示せず）より飛び出す。そして、開閉プレート１８が収容空間３８の天井部３９に当接しなくなることにより、開閉プレート１８は天井部３９による規制から外れ、付勢部材１９の付勢力によってその付勢方向に回動する。これにより、開閉プレート１８に取り付けられた化粧カバー３７は、図１（ｃ）に示すように嵌合凹部４０から外れ、接合空間１５の開口部１５ａが開く。したがって、この開口部１５ａに記憶用媒体１４を挿入し、その端子部を接続空間１５内の内部接続端子に接続する。
【００２８】
なお、スライダー１７は、その摺動部２６の切欠２８が、固定板１６の保持板２５の突条２５ａと嵌合しこれにガイドされていることにより、固定板１６上での前進（移動）が、所定方向に所定距離だけなされるようになっている。
また、化粧カバー３７を引き出し、スライダー１７を前進させると、このスライダー１７がその最適前進位置に到達した際、その係合長片３０の係合凸部３０ａが固定板１６の係合突片２３における前進係合凹部２３ａに係合する。すると、操作者はこの係合を指等で感覚的に確認することができ、したがって最適前進位置に到達したことが確認できることから、安心してその位置で化粧カバー３７の引き出しをやめることができる。
【００２９】
また、記憶用媒体１４の使用が終了し、再度接続空間１５の開口部１５ａを閉じるには、化粧カバー３７を閉じる方向に回動し、そのまま筐体１０ａ側に押し込む。すると、化粧カバー３７に押されることによって開閉プレート１８を介してスライダー１７が後退すし、開閉プレート１８は再度収容空間３８内に収容される。そして、開閉プレート１８が収容空間３８の天井部３９に当接し、これに規制されることにより、開閉プレート１８は再度閉じた状態となり、これに伴って化粧カバー３７も再度嵌合凹部４０に嵌合する。このとき、化粧カバー３７はその係合突起３７ａが嵌合凹部４０内の係合凹部４０ａに係合することにより、不測に外れてしまうのが防止されるようになる。
【００３０】
なお、化粧カバー３７を押し込み、スライダー１７を後退させると、このスライダー１７がその最適後退位置に到達した際、その係合長片３０の係合凸部３０ａが固定板１６の係合突片２３における後退係合凹部２３ｂに係合する。すると、操作者はこの係合を指等で感覚的に確認することができ、したがって最適後退位置に到達したことが確認できることから、安心してその位置で化粧カバー３７の押し込みをやめることができる。
【００３１】
このようなポータブルナビゲーション１０における接続空間１５の開閉機構１１にあっては、特に収容空間３８の天井部３９を規制手段として機能させ、これによりスライダー１７が後退しているときに、開閉プレート１８が回動するのを規制して開口部１５ａを閉じる状態に該開閉プレート１８を保持し、スライダー１７が前進したときに、開閉プレート１８への規制を解除し、前記開口部１５ａが開くように該開閉プレート１８を付勢部材１９によって回動させるようにしたので、単にスライダー１７を進退させるだけで開口部１５ａの開閉を操作することができ、したがって操作性が極めて良好なものとなる。
また、開閉プレート１８に化粧カバー３７を取り付けたので、この化粧カバー３７が防塵カバーとしても機能することにより接続空間１５の防塵性を高めることができ、また、化粧カバー３７の色を本体の色に合わせることなどによって意匠性を高めることもできる。
【００３２】
なお、本考案は前記実施形態に限定されることなく、本考案の要旨を逸脱しない限り種々の変更が可能である。例えば、前記実施形態では、本考案における規制手段を収容空間３８の天井部３９によって構成したが、もちろん開閉機構１１の主構成要素である固定板１６やスライダー１７、開閉プレート１８などに規制手段を設けることもできる。
図６（ａ）、（ｂ）は、規制手段を開閉プレート１８に設けた場合の一例を示す図である。図６（ａ）に示すように、開閉プレート１８の外側の軸受け３３ｂには、本考案における規制手段となる規制片４１が、開閉プレート１８が延びる方向と略反対の方向に延びて形成されている。これら規制片４１は、開閉プレート１８が後退し閉じている状態で保持板２５の上面に係合するように構成されたもので、これによって図６（ａ）に示したように、開閉プレート１８は付勢部材１９の付勢力に抗してその回動が規制させられた状態となっている。
【００３３】
すなわち、規制片４１は、スライダー１７が後退しているときに、開閉プレート１８が回動するのを規制して接続空間１５の開口部１５ａを閉じる状態に、該開閉プレート１８を保持するものとなっている。
また、化粧カバー３７が引き出されることにより、図６（ｂ）に示すように開閉プレート１８がスライダー１７とともに前進すると、規制片４１の保持板２５への係合が解除され、これによって開閉プレート１８への規制が解除される。すると、開閉プレート１８は付勢部材１９の付勢力によって回動し、これにより接続空間１５の開口部１５ａを開くようになる。
【００３４】
このような構成とすれば、本考案の規制手段が開閉機構１１の主構成要素に設けられることにより、この開閉機構１１を設ける筐体等の設計に関係なく開閉機構１１を任意の位置に取り付けることができ、したがって開閉機構１１を取り付ける筐体等の本体部の設計自由度を高めることができる。
【００３５】
なお、前記実施形態では、本考案の開閉機構をポータブルナビゲーションに適用した例を示したが、本考案はこれに限定されることなく、携帯電話機や、ＰＨＳ（登録商標）、ＰＤＡ、電子手帳、ノート型パーソナルコンピュータ及びデジタルカメラのように、外部機器や記憶用媒体との接続端子を備えた各種携帯製品、さらにはカーナビゲーションやその他の各種電子機器における、外部機器または記憶用媒体を接続する接続空間の開口部の開閉に適用することもできる。
【図面の簡単な説明】
【００３６】
【図１】本考案の開閉機構をポータブルナビゲーションの記憶用媒体用接続空間の開閉に適用した場合の一実施形態を示す図であり、（ａ）はポータブルナビゲーションの全体構成を示す斜視図、（ｂ）、（ｃ）はポータブルナビゲーションの接続空間部分を示す要部拡大図である。
【図２】開閉機構とこれが設けられる部位の概略構成を示す分解斜視図である。
【図３】開閉機構における固定板の概略構成を説明するための平面図である。
【図４】開閉機構におけるスラーダーおよび開閉プレートの概略構成を説明するための平面図である。
【図５】（ａ）は開閉機構の概略構成を示す平面図、（ｂ）、（ｃ）は開閉機構の概略構成を示す側面図である。
【図６】本考案の開閉機構の別の実施形態を模式的に説明するための側面図である。
【図７】従来の開閉機構を備えた携帯電話機の構成例を示す斜視図である。
【符号の説明】
【００３７】
１０…ポータブルナビゲーション、１１…開閉機構、１４…記憶用媒体、
１５…接続空間、１５ａ…開口部、１６…固定板、１７…スライダー、
１８…開閉プレート、１９…付勢部材、２３…係合突片、２３ａ…前進係合凹部、
２３ｂ…後退係合凹部、３０…係合長片、３０ａ…係合凸部、３２…軸、
３７…化粧カバー、３９…天井部（規制手段）、４１…規制片（規制手段）
【図１】
0003101064.tif 000003
【図２】
0003101064.tif 000004
【図３】
0003101064.tif 000005
【図４】
0003101064.tif 000006
【図５】
0003101064.tif 000007
【図６】
0003101064.tif 000008
【図７】
0003101064.tif 000009